(57)【特許請求の範囲】
【請求項１】
水平面を清掃する状態で上から見たときに、長手方向の長さが、前記長手方向に対して垂直な短手方向の長さより長いボディーと、
管状または棒状のワンドを前記ボディーに対して連結する連結部と、
を備え、
前記連結部は、前記ボディーの上面側にあり、
前記連結部は、前記ワンドと共に回転する第一回転部と、第二回転部とを備え、
前記第一回転部は、前記第二回転部に対して第一回転軸を中心に回転可能であり、
前記第二回転部は、前記ボディーに対して第二回転軸を中心に回転可能であり、
水平面を清掃する状態で、前記第二回転軸は、鉛直線に対して斜めになり、
前記ワンドの長手軸が前記ボディーの前記短手方向に対して平行な状態と、前記ワンドの前記長手軸が前記ボディーの前記長手方向に対して平行な状態と、になりうる掃除具。
【請求項２】
水平面を清掃する状態で、鉛直線と前記第二回転軸とが形成する鋭角の絶対値が１０°〜８０°であり、前記ボディーの前方に向かって前記第二回転軸が斜め上を向くように前記第二回転軸が傾斜し、前記ボディーと前記第二回転部との間の接合部に対して下側に前記連結部が位置するか、
または、
水平面を清掃する状態で、鉛直線と前記第二回転軸とが形成する鋭角の絶対値が１０°〜８０°であり、前記ボディーの前方に向かって前記第二回転軸が斜め下を向くように前記第二回転軸が傾斜し、前記ボディーと前記第二回転部との間の接合部に対して上側に前記連結部が位置する請求項１に記載の掃除具。
【請求項３】
前記ボディーの短手方向の長さの中央より前にあるホイールを備える請求項１または請求項２に記載の掃除具。
【請求項４】
前記ボディーは、
塵埃を吸引する吸引開口と、
前記吸引開口に連通するチャンバと、
前記チャンバ内から前記連結部の内部につながる風路への入口となる入口部と、
を備え、
前記入口部は、前記チャンバの上方において開口する請求項１から請求項３のいずれか一項に記載の掃除具。
【請求項５】
水平面を清掃する状態で上から見たときに、前記ボディーの形状が矩形である請求項１から請求項４のいずれか一項に記載の掃除具。
【請求項６】
水平面を清掃する状態で上から見たときに、前記ボディーの短手方向の長さの範囲に前記連結部が収まる請求項１から請求項５のいずれか一項に記載の掃除具。
【請求項７】
前記ボディーは、第一上面と、前記第一上面より低い位置にある第二上面とを備え、
前記ワンドの前記長手軸が前記ボディーの前記長手方向に対して実質的に平行な状態のときに、前記連結部及び前記ワンドが、少なくとも部分的に、前記第一上面と前記第二上面との間の高さに位置する請求項１から請求項６のいずれか一項に記載の掃除具。
【請求項８】
前記ワンドの前記長手軸が前記ボディーの前記長手方向に対して実質的に平行な状態のときに、前記第二上面は、少なくとも部分的に、前記ワンドの長手方向に沿って延びる請求項７に記載の掃除具。
【請求項９】
前記ボディーに対して回転可能に設置されたアジテーターと、
前記アジテーターを駆動する駆動手段と、
を備え、
前記第二上面は、前記連結部の位置から前記ボディーの前記長手方向の一端まで延びており、
前記ボディーの前記長手方向についての前記駆動手段の位置は、前記連結部に対して前記ボディーの前記長手方向の他端側にある請求項７または請求項８に記載の掃除具。
【請求項１０】
前記ボディーの前記長手方向についての前記連結部の位置は、前記ボディーの前記長手方向の中心に対して偏っている請求項１から請求項９のいずれか一項に記載の掃除具。
【請求項１１】
請求項１から請求項１０のいずれか一項に記載の掃除具を備える電気掃除機。
【発明の詳細な説明】
【技術分野】
【０００１】
本発明は、掃除具及び電気掃除機に関する。
【背景技術】
【０００２】
下記特許文献１に開示された電気掃除機（１）では、回転体（１５３１）が回転することで、吸口本体（１０００）の長手方向に対して、吸引管（４００）を平行にすることができる。
【先行技術文献】
【特許文献】
【０００３】
【特許文献１】特開平１１−１６４７９６号公報
【発明の概要】
【発明が解決しようとする課題】
【０００４】
特許文献１の電気掃除機（１）では、以下のような課題がある。回転体（１５３１）が回転して、吸口本体（１０００）の長手方向に対して吸引管（４００）を垂直にした状態では、吸引管（４００）を水平または水平近くにすることができない、すなわち吸引管（４００）の仰角を十分に小さくできない。その状態で、高さの低い低所、特に奥行がある低所を掃除しようと、吸引管（４００）が清掃箇所の上部に接触し、吸口本体（１０００）を奥へ挿入できない。
【０００５】
吸口本体（１０００）の長手方向に対して吸引管（４００）を平行にした状態では、低所の奥へ吸口本体（１０００）を挿入できるが、吸口本体（１０００）の短手方向の幅で清掃することになるので、幅の広い低所を清掃する場合に、効率が悪い。
【０００６】
本発明は、上述のような課題を解決するためになされたもので、幅の広い低所と、幅の狭い低所との双方を効率的に清掃できる掃除具、及び当該掃除具を備えた電気掃除機を提供することを目的とする。
【課題を解決するための手段】
【０００７】
本発明に係る掃除具は、水平面を清掃する状態で上から見たときに、長手方向の長さが、長手方向に対して垂直な短手方向の長さより長いボディーと、管状または棒状のワンドをボディーに対して連結する連結部と、を備え、連結部は、ボディーの上面側にあり、連結部は、ワンドと共に回転する第一回転部と、第二回転部とを備え、第一回転部は、第二回転部に対して第一回転軸を中心に回転可能であり、第二回転部は、ボディーに対して第二回転軸を中心に回転可能であり、水平面を清掃する状態で、第二回転軸は、鉛直線に対して斜めになり、ワンドの長手軸がボディーの短手方向に対して平行な状態と、ワンドの長手軸がボディーの長手方向に対して平行な状態と、になりうるものである。
また、本発明に係る電気掃除機は、上記掃除具を備えたものである。
【発明の効果】
【０００８】
本発明によれば、幅の広い低所と、幅の狭い低所との双方を効率的に清掃することが可能となる。
【図面の簡単な説明】
【０００９】
【図１】実施の形態１の吸込具を備える電気掃除機の斜視図である。
【図２】実施の形態１における掃除機本体の斜視図である。
【図３】実施の形態１における掃除機本体の平面図である。
【図４】実施の形態１における収容ユニットの斜視図である。
【図５】実施の形態１における収容ユニットの平面図である。
【図６】図５に示す収容ユニットのＣ−Ｃ線での断面図である。
【図７】図５に示す収容ユニットのＤ−Ｄ線での断面図である。
【図８】実施の形態１の吸込具の模式的な斜視図である。
【図９】実施の形態１の吸込具の上面図である。
【図１０】実施の形態１の吸込具の下面図である。
【図１１】図９中のＨ−Ｈ線での模式的な断面図である。
【図１２】実施の形態１の吸込具の背面図である。
【図１３】実施の形態１の吸込具の使用形態を示す上面図である。
【図１４】実施の形態１の吸込具の他の使用形態を示す上面図である。
【図１５】実施の形態２の吸込具の模式的な斜視図である。
【図１６】実施の形態２の吸込具の背面図である。
【図１７】図１６中のＪ−Ｊ線での模式的な断面図である。
【図１８】実施の形態３の吸込具の背面図である。
【図１９】実施の形態３の吸込具が備える吸込口体の模式的な斜視図である。
【図２０】図１８中のＫ−Ｋ線の位置での模式的な断面図である。
【図２１】実施の形態４の吸込具を幅広形態で使用するときの状態にした上面図である。
【図２２】実施の形態４の吸込具を幅狭形態で使用するときの状態にした上面図である。
【発明を実施するための形態】
【００１０】
以下、図面を参照して実施の形態について説明する。本開示は、以下の各実施の形態で説明する構成のうち、組合わせ可能な構成のあらゆる組合わせを含み得る。
【００１１】
実施の形態１．
図１は、実施の形態１の吸込具を備える電気掃除機の斜視図である。図１に示すように、実施の形態１の電気掃除機１は、吸込具２、接続パイプ３、吸引ホース４、掃除機本体５、吸引パイプ８、及びハンドル９を備える。吸込具２は、吸込口体６及び連結部７を備える。吸込具２は、掃除具の例である。掃除機本体５は、ホース接続口１１、電源コード１２、及び車輪１３を備える。ホース接続口１１は、掃除機本体５の前部に位置する。車輪１３は、掃除機本体５の後半部分の両側の側面に位置する。
【００１２】
吸込具２の吸込口体６は、掃除される面（以下、「被清掃面」と称する）の塵埃を空気と一緒に吸い込む。吸込口体６は、ボディーの例である。連結部７は、吸引パイプ８を吸込口体６に対して連結する。吸引パイプ８は、ワンド（ｗａｎｄ）の例である。ワンドは、管状部材または棒状部材である。吸引パイプ８の一端部が連結部７に対して着脱可能でもよい。吸引パイプ８の一端部と、連結部７の一部とが一体化していてもよい。
【００１３】
吸引パイプ８の他端部は、接続パイプ３の一端部に接続される。接続パイプ３は、途中で折れ曲がった円筒状の部材である。接続パイプ３の他端部は、吸引ホース４の一端部に接続される。吸引ホース４は、可撓性を有する蛇腹状の部材である。吸引ホース４の他端部は、掃除機本体５のホース接続口１１に接続される。掃除機本体５は、塵埃を含む空気から塵埃を分離し、塵埃が取り除かれた空気を排出するためのものである。以下、塵埃を含む空気を「含塵空気」とも呼ぶ。また、塵埃が取り除かれた空気を「清浄空気」とも呼ぶ。清浄空気は、例えば、掃除機本体５から室内に戻される。
【００１４】
使用者が電気掃除機１を用いて掃除を行うとき、使用者はハンドル９を把持する。ハンドル９は、少なくとも部分的に、ゲル等の軟質材で形成されてもよい。ハンドル９が少なくとも部分的に軟質材で形成されることで、ハンドル９を把持する手との間で摩擦力が増大するとともに、使用者がハンドル９を握りやすくなる。その結果、吸込具２の操作性をさらに向上させることができる。ハンドル９は、吸引パイプ８より軟らかい材質で形成されてもよい。ハンドル９は、棒状を呈してもよい。棒状のハンドル９の中心軸は、吸引パイプ８の中心軸と一致してもよい。図１において、ハンドル９の中心軸及び吸引パイプ８の中心軸は、一点鎖線で示されている。ハンドル９の全体的な形状が、吸引パイプ８の中心軸と同軸的な棒状の形状を呈する場合には、ハンドル９をひねる場合の手の動き及び筋負荷が小さくなる。その結果、吸込具２の取回しが容易になり、操作性をさらに向上させることができる。ハンドル９は、長手方向の中心における断面積よりも先端部の断面積の方が大きくなるように形成されてもよい。ハンドル９は、長手方向において吸込口体６に近い側よりも吸込口体６から遠い側の方が太くなるように形成されてもよい。
【００１５】
図１における両矢印は、ハンドル９の動かし方の一例を示している。ひねり方向Ａの動きは、ハンドル９及び吸引パイプ８の中心軸周りの回転である。傾き方向Ｂの動きは、被清掃面に対するハンドル９及び吸引パイプ８の角度を変える動きである。
【００１６】
ハンドル９には、操作スイッチ１０が設置されている。操作スイッチ１０は、ハンドル９の根元付近の位置に設けられている。操作スイッチ１０は、使用者が電気掃除機１の運転を制御するためのものである。
【００１７】
電源コード１２は、掃除機本体５内部の図示しないコードリール部に巻き付けられている。後述するように、掃除機本体５は、電動送風機を内蔵する。電源コード１２が外部電源に接続されると、電動送風機等の内部機器が通電する。電動送風機は、通電によって駆動する。電動送風機は、操作スイッチ１０に対する操作に応じて予め設定された吸引動作を行う。
【００１８】
電動送風機が吸引動作を行うと、含塵空気が吸込口体６に吸い込まれる。吸込口体６に吸い込まれた含塵空気は、連結部７、吸引パイプ８、接続パイプ３、及び吸引ホース４の内部を通って、掃除機本体５に送られる。吸込口体６、連結部７、吸引パイプ８、接続パイプ３、及び吸引ホース４は、含塵空気を掃除機本体５へ送る風路を形成する。
【００１９】
図２は、実施の形態１における掃除機本体５の斜視図である。図３は、実施の形態１における掃除機本体５の上面図である。図２及び図３に示すように、掃除機本体５は、収容ユニット１４及び集塵ユニット１５を備える。収容ユニット１４は、集塵ユニット１５以外の各種機器を収容する。ホース接続口１１は、収容ユニット１４の前端部に形成されている。車輪１３は、収容ユニット１４の後ろ半分の両側の側面にある。集塵ユニット１５は、収容ユニット１４に対して着脱可能に取り付けられている。
【００２０】
図４は、実施の形態１における収容ユニット１４の斜視図である。図５は、実施の形態１における収容ユニット１４の上面図である。図４及び図５は、収容ユニット１４から集塵ユニット１５を取り外した状態を示す。図４及び図５に示すように、収容ユニット１４は、収容体１６及び収容体１７を備える。
【００２１】
収容体１６は、上方が開口した箱状を呈する部材である。収容体１６は、例えば、成型品である。電動送風機及びコードリール部は、収容体１６に収容されている。収容体１７は、収容体１６に形成された上記開口を塞ぐように、収容体１６と結合される。収容体１７は、集塵ユニット１５を収容するための空間である収容部を有する。集塵ユニット１５が収容ユニット１４に適切に取り付けられると、集塵ユニット１５の要部は、収容部に配置される。集塵ユニット１５は、収容体１７の上方に配置される。
【００２２】
図４及び図５に示すように、収容ユニット１４には、第１接続口１８及び第２接続口１９が形成されている。第１接続口１８及び第２接続口１９は、収容ユニット１４の上面において、後端部寄りに配置されている。第１接続口１８は、収容ユニット１４の側面のうち一方に寄って配置されている。第２接続口１９は、収容ユニット１４の両側面から等距離に配置されている。第１接続口１８及び第２接続口１９は、集塵ユニット１５が収容ユニット１４に取り付けられた状態において、集塵ユニット１５の内部に通じる。
【００２３】
図６は、図５に示す収容ユニット１４のＣ−Ｃ線での断面図である。図７は、図５に示す収容ユニット１４のＤ−Ｄ線での断面図である。図６及び図７に示すように、収容ユニット１４は、吸気風路形成部２０を備える。吸気風路形成部２０は、掃除機本体５において、含塵空気を集塵ユニット１５に導くための吸気風路２１を形成する。吸気風路形成部２０は、収容体１６の内部空間を通過するように設けられている。吸気風路形成部２０の一端は、収容ユニット１４の前面で開口する。吸気風路形成部２０の上記一端は、ホース接続口１１を形成する。吸気風路形成部２０の他端は、収容ユニット１４の上面で開口する。つまり、吸気風路形成部２０の上記他端は、収容体１７で開口する。吸気風路形成部２０の上記他端は、集塵ユニット１５と接続される第１接続口１８を形成する。
【００２４】
集塵ユニット１５は、含塵空気から塵埃を分離し、分離した塵埃を一時的に溜めておくためのものである。集塵ユニット１５は、内部で含塵空気を旋回させることにより、遠心力によって塵埃を空気から分離する。つまり、集塵ユニット１５は、サイクロン分離機能を有するサイクロン分離装置である。
【００２５】
図６及び図７に示すように、収容ユニット１４は、排気風路形成部２２を備える。排気風路形成部２２は、掃除機本体５において、集塵ユニット１５から排出された清浄空気を図示しない排気口に導くための排気風路２３を形成する。排気風路形成部２２は、収容体１６の内部空間を通過するように設けられている。排気風路形成部２２の一端は、収容ユニット１４の上面で開口する。つまり、排気風路形成部２２の上記一端は、収容体１７で開口する。排気風路形成部２２の上記一端は、集塵ユニット１５と接続される第２接続口１９を形成する。排気風路形成部２２の他端は、収容ユニット１４の外側に向けて開口する。排気風路形成部２２の上記他端は、排気口を形成する。
【００２６】
図６及び図７に示すように、収容ユニット１４の内部には、電動送風機２４が備えられている。電動送風機２４は、電気掃除機１に形成された各風路に、気流を発生させるためのものである。電気掃除機１に形成された各風路とは、外部から掃除機本体５の内部に含塵空気を流入させるための風路、吸気風路２１、集塵ユニット１５内の空間及び排気風路２３である。電動送風機２４は、収容ユニット１４の後端部寄りの予め設定された位置において、排気風路２３内に配置される。
【００２７】
電動送風機２４が吸引動作を開始すると、電気掃除機１に形成された各風路に気流が発生する。このとき、吸込具２、接続パイプ３、及び吸引ホース４の内部には吸引力が発生する。吸込具２の吸込口体６に吸い込まれた含塵空気は、ホース接続口１１から掃除機本体５の内部に取り込まれる。掃除機本体５の内部に流入した含塵空気は、吸気風路２１を経て、第１接続口１８から集塵ユニット１５に送られる。集塵ユニット１５の内部では、含塵空気から塵埃が分離される。集塵ユニット１５から排出された清浄空気は、排気風路２３に流入し、排気風路２３内において電動送風機２４を通過する。電動送風機２４を通過した清浄空気は、排気風路２３をさらに進み、排気口から掃除機本体５の外部に排出される。
【００２８】
次に、吸込具２について説明する。以下では、原則として、吸込口体６を水平な被清掃面に置いた状態、すなわち水平面を清掃する状態を基準に説明する。図８は、実施の形態１の吸込具２の模式的な斜視図である。図９は、実施の形態１の吸込具２の上面図である。図９は、吸引パイプ８の長手軸８２を吸込口体６の短手方向に対して平行にした状態を示す。図１０は、実施の形態１の吸込具２の下面図である。
【００２９】
図８から図１０に示すように、吸込具２は、吸込口体６及び連結部７を備える。図９は、吸込口体６を水平面に置いて上から見た図である。吸込口体６を水平面に置いて上から見たとき、以下のようになる。吸込口体６の長手方向の長さはＬである。吸込口体６の短手方向の長さはＷである。短手方向は、長手方向に対して垂直な方向である。
【００３０】
本実施の形態では、上面視における吸込口体６の形状は、矩形あるいは長方形である。当該長方形の長辺の長さがＬ、短辺の長さがＷに相当する。また、長手方向からの側面視、及び、短手方向からの側面視における吸込口体６の形状についても、矩形あるいは長方形である。つまり、本実施の形態の吸込口体６は、直方体形状を呈する。
【００３１】
また、連結部７と吸込口体６を合わせた形状は、上面視にて矩形である。これにより、小型な構成で、小回りが利き、清掃性が高い。
【００３２】
以下の説明では、後述する幅広形態で吸込口体６を短手方向に往復させて清掃をする場合に使用者から見たときの前後左右を、吸込口体６の前後左右として定義する。図９の上面視にて、吸込口体６の長手方向の左側の端を左端１０３、右側の端を右端１０４、上側を前端１０１、下側を後端１０２とする。吸込口体６を短手方向に往復させて清掃をする際は、後端１０２側でハンドル９が保持される。
【００３３】
図９の上面視で左端１０３及び右端１０４は直線状に延びる。このような構成に限らず、上面視で左端１０３及び右端１０４は、少なくとも部分的に、曲線または折れ線でもよい。その場合、吸込口体６の長手方向の長さＬは、上面視で左端１０３と右端１０４との間の長手方向の最大長さを指すものとする。本実施の形態では、吸込口体６の前端１０１と後端１０２との間の距離は、吸込口体６の長手方向に沿って、おおむね一定である。このような構成に限らず、吸込口体６の前端１０１と後端１０２との間の距離は、吸込口体６の長手方向に沿って、変化してもよい。その場合、吸込口体６の短手方向の長さＷは、上面視で前端１０１と後端１０２との間の短手方向の最大長さを指すものとする。
【００３４】
本実施の形態において、連結部７は吸込口体６の上面に接続されている。連結部７は、吸込口体６の上面側にある。本実施の形態の連結部７は、吸込口体６の長手方向の長さＬの中心に配置される。このような構成に限らず、連結部７は、吸込口体６の長手方向の長さＬの中心から偏った位置に配置されてもよい。
【００３５】
図８に示すように、吸込口体６は、上ケース３１及び下ケース３２を含んでもよい。本実施の形態における連結部７は、第一回転部７１及び第二回転部７２を備える。第一回転部７１は、吸引パイプ８と共に回転する。第一回転部７１は、吸引パイプ８と一体となって回転する。第一回転部７１は、第二回転部７２に対して、第一回転軸Ｘを中心に回転可能である。第二回転部７２は、吸込口体６に対して、第二回転軸Ｙを中心に回転可能に接続される。図８中、第一回転軸Ｘ及び第二回転軸Ｙを一点鎖線で示す。
【００３６】
本実施の形態では、連結部７の第一回転部７１と、吸引パイプ８とが一体的に形成されている。このような構成に限らず、連結部７の第一回転部７１と、吸引パイプ８とが別の部材で構成されていてもよい。連結部７の第一回転部７１と、吸引パイプ８とが、着脱可能に連結されてもよい。
【００３７】
図８に示すように、吸引パイプ８の内部には、風路８１が形成されている。図１０に示すように、吸込口体６は、吸引開口６３を備える。吸引開口６３は、吸込口体６の底面６４に開口する。吸引開口６３は、吸込口体６の後端１０２より前端１０１に近い位置に配置される。吸込口体６の底面６４は、使用時すなわち清掃時に被清掃面に対向する。連結部７の内部には、吸引開口６３及び風路８１に対して流体的につながる風路が形成されている。連結部７の内部の風路については後述する。
【００３８】
電動送風機２４が作動すると、吸引開口６３から含塵空気が吸引される。その後、当該含塵空気は、連結部７の内部の風路と、吸引パイプ８の内部の風路８１を通過して、接続パイプ３の内部へ流入する。
【００３９】
図１０に示すように、吸込口体６の底面６４には、被清掃面に対して転がりながら吸込口体６を支持する複数のホイール４７が取り付けられている。ホイール４７の回転軸は、吸込口体６の長手方向に平行である。複数のホイール４７には、吸込口体６の短手方向の長さＷの中央より前にあるホイール４７と、当該中央より後ろにあるホイール４７とが含まれる。ホイール４７は、特に表面には軟質材を用いてもよい。
【００４０】
ホイール４７は、主として、吸込口体６を短手方向に動かして清掃する際に回転する。連結部７が吸込口体６の上面側にあることで、連結部７が吸込口体６の後方にある構成に比べて、力点が前方あるいは上方になる。そのため、前方に力が加わった際に、吸込口体６が前につんのめりやすくなる。本実施の形態であれば、吸込口体６の短手方向の長さＷの中央より前にあるホイール４７を備えたことで、このようなつんのめりの機会を減少させることができる。また、ホイール４７に軟質材を用いることで、接触した被清掃面を傷つけにくくなる。例えば、吸込口体６を長手方向に動かして清掃する際のように、ホイール４７が回転しないときにも、被清掃面を傷つけにくい。
【００４１】
図１１は、図９中のＨ−Ｈ線での模式的な断面図である。図１１では、図面を簡略化するため、各部の壁が持つ厚みを無視し、壁の断面を線で表す。以下、図１１を参照して、本実施の形態の吸込具２についてさらに説明する。
【００４２】
第一回転軸Ｘは、第二回転軸Ｙに対してねじれの位置の関係にある。第二回転軸Ｙは、吸込口体６の長手方向に対して実質的に垂直である。連結部７の第二回転部７２が第二回転軸Ｙを中心に回転することに伴って、第一回転軸Ｘの向きが変化するが、第一回転軸Ｘは第二回転軸Ｙに対してねじれの位置の関係に維持される。第二回転部７２は、吸込口体６に対して、予め設定された角度の範囲で、第二回転軸Ｙを中心に回転可能である。連結部７の第一回転部７１は、第二回転部７２に対して、予め設定された角度の範囲で、第一回転軸Ｘを中心に回転可能である。
【００４３】
第一回転部７１の内部には、吸引パイプ８の風路８１に連通する風路が形成されている。第一回転部７１は、第一シャッター７１ａ及び第二シャッター７１ｂを備える。第一シャッター７１ａ及び第二シャッター７１ｂは、第一回転軸Ｘに垂直な断面形状が円弧状の壁である。第一シャッター７１ａの端部には、外側に向かって突出する第一リブ７１ｃが形成されている。第二シャッター７１ｂの端部には、外側に向かって突出する第二リブ７１ｄが形成されている。
【００４４】
第二回転部７２は、第三シャッター７２ａ及び第四シャッター７２ｂを備える。第三シャッター７２ａ及び第四シャッター７２ｂは、第一回転軸Ｘに垂直な断面形状が円弧状の壁である。第三シャッター７２ａの端部には、内側に向かって突出する第三リブ７２ｃが形成されている。第四シャッター７２ｂの端部には、内側に向かって突出する第四リブ７２ｄが形成されている。
【００４５】
第一回転部７１が第二回転部７２に対して第一回転軸Ｘを中心に回転するとき、第一シャッター７１ａは第三シャッター７２ａの内側に出入りし、第二シャッター７１ｂは第四シャッター７２ｂの内側に出入りする。第一リブ７１ｃが第三リブ７２ｃに当たること、及び、第二リブ７１ｄが第四リブ７２ｄに当たることで、第一回転部７１の回転範囲が規制される。
【００４６】
第一シャッター７１ａ、第二シャッター７１ｂ、第三シャッター７２ａ及び第四シャッター７２ｂが囲む空間は、連結部７の内部の風路の一部を形成する。このような構成によれば、連結部７の内部の風路を大きくすることができ、圧力損失が少なくなり、吸引性能が向上する。
【００４７】
吸込口体６は、吸込口体６の上面から上方に突出する突出部６５を備える。突出部６５の内部には、アジテーターチャンバ５０内に連通する風路６６が形成されている。第二回転部７２は、突出部６５に対して、第二回転軸Ｙを中心に回転可能に連結されている。第二回転部７２の内部には、風路が形成されている。突出部６５は、第二回転軸Ｙを中心とする円形開口を有する。第二回転部７２は、第二回転軸Ｙを中心とする円形開口を有する。突出部６５と第二回転部７２との間の接合部７３にて、突出部６５の円形開口と、第二回転部７２の円形開口とが相対的に回転可能に接続される。
【００４８】
突出部６５の内部の風路６６は、連結部７の第二回転部７２の内部の風路に連通する。入口部６７は、アジテーターチャンバ５０内から風路６６への入口となる。入口部６７は、アジテーターチャンバ５０の上方において開口する。
【００４９】
以下の説明では、第一角度α及び第二角度βを以下のように定義する。第一角度αは、水平面に対する吸引パイプ８の長手軸８２の傾斜角度である。第二角度βは、吸込口体６の長手方向の直線と、吸引パイプ８の長手軸８２を含む鉛直平面との間の角度である。換言すれば、図９に示すように、上面視において、吸込口体６の長手方向の直線と、吸引パイプ８の長手軸８２を表す直線との間の角度が第二角度βである。図９は、第一角度αが０°で、第二角度βが９０°の状態を表す。
【００５０】
図１１に示すように、第二角度βが９０°の状態で、吸引パイプ８を吸込口体６の後方へ倒して長手軸８２が水平になったときの第一角度αを０°と定義する。第二角度βが９０°のときには、第一回転部７１が第二回転部７２に対して第一回転軸Ｘを中心に回転することで、第一角度αの大きさを変えることができる。図１１の実線で示す吸引パイプ８の位置は、第一角度αが０°の状態を表す。図１１の破線で示す吸引パイプ８の位置は、第一角度αが９０°の状態を表す。
【００５１】
連結部７が第一回転軸Ｘを中心として回転可能な角度範囲は、例えば、図１１が示すように、第二角度βが９０°のときに第一角度αが０°から９０°まで変わりうる範囲でもよい。連結部７が第一回転軸Ｘを中心として回転可能な角度範囲は、さらに大きくてもよく、例えば、第一角度αが０°から１３５°や１８０°まで変わりうる範囲でもよい。
【００５２】
第二回転軸Ｙは、鉛直線に対して斜めになる。本実施の形態では、吸込口体６の前方に向かって第二回転軸Ｙが斜め上を向くように第二回転軸Ｙが傾斜する。
【００５３】
以下の説明では、鉛直線と第二回転軸Ｙとが形成する鋭角の絶対値を単に「第二回転軸Ｙの傾斜角度」と称する。第二回転軸Ｙの傾斜角度は、１０°〜８０°であることが好ましい。この範囲であれば、吸込口体６を短手方向に動かして清掃するときの吸込口体６のぐらつきを確実に抑えることができ、操作しやすい。上記範囲の中でも、第二回転軸Ｙの傾斜角度が大きいほど、吸込口体６を短手方向に動かして清掃するときの吸込口体６のぐらつきをより確実に抑えられる。第二回転軸Ｙの傾斜角度は、４５°またはその近く（例えば４０°〜５０°の範囲）であることがより好ましい。
【００５４】
上述した第二回転軸Ｙの傾斜角度であれば、以下の効果が得られる。吸込口体６と被清掃面との摩擦に対し、重力が働き、吸込口体６の傾きが抑えられる。第二回転軸Ｙの傾斜角度が大きくなるほど、重力の作用が大きくなるため、より傾きを抑えられる。また、ハンドル９及び吸引パイプ８をひねることで、吸込口体６の底面６４が被清掃面に対して平行な状態を維持しつつ、吸込口体６の向きを変化させることができる。これにより腕あるいは肘を動かすことなく、吸込口体６の向きを変化させることができるため、高い清掃性が得られる。
【００５５】
吸引パイプ８内の風路８１の断面形状が多角形の場合には、当該多角形の一辺の垂直二等分線と、他の一辺の垂直二等分線との交点を吸引パイプ８の長手方向に連ねた線を吸引パイプ８の長手軸８２とみなしてもよい。また、吸引パイプ８内の風路８１の断面形状が円形の場合には、当該円の中心を吸引パイプ８の長手方向に連ねた線を吸引パイプ８の長手軸８２とみなしてもよい。
【００５６】
連結部７が第一回転軸Ｘ及び第二回転軸Ｙを中心として回転することで、図９に示す第二角度βの大きさを変えることができる。第二角度βが変わりうる範囲は、０°から１８０°まででもよい。
【００５７】
図１２は、実施の形態１の吸込具２の背面図である。図１２に示す背面視において、水平面に対する吸引パイプ８の長手軸８２の角度が変わりうる範囲は、γで示す範囲、すなわち０°から１８０°までの範囲でもよい。
【００５８】
連結部７が第一回転軸Ｘ及び第二回転軸Ｙを中心として回転することで第一角度α及び第二角度βが増減する。通常、吸込具２を使用する際は、吸込口体６が水平面に置かれた姿勢、すなわちを吸込口体６の底面６４が水平な姿勢を維持するように清掃を行う。仮に、第二回転軸Ｙが鉛直線に対して平行だったとすると、吸込口体６が第二回転軸Ｙを中心に回転しても、吸込口体６の底面６４は水平に維持される。このため、第二回転軸Ｙが鉛直線に対して平行であると仮定すると、吸込口体６を短手方向に動かして清掃する際に、被清掃面との間の摩擦力が吸込口体６の左右で均等でない場合に、使用者の意に反して、吸込口体６が第二回転軸Ｙを中心に回転してしまう可能性がある。これに対し、本実施の形態であれば、第二回転軸Ｙが鉛直線に対して斜めになっていることで、そのような事態が生ずることを確実に防止できる。また、第二回転軸Ｙが吸込口体６上面の垂直方向に対して、傾いた位置に配置されることで、吸引パイプ８が干渉せず、回転範囲を大きくできる。
【００５９】
図９から図１２は、第二角度βが９０°の状態を示す。図９及び図１０に示すように、第二角度βが９０°の状態で、吸込口体６の短手方向に沿った連結部７の大きさは、吸込口体６の短手方向の長さＷより小さい。また、図１２に示すように、連結部７は、第二角度βが９０°の状態で、長手方向の中心を通って底面６４に垂直な平面を介して対称な形状を有する。また、図９に示すように、連結部７は上面視にて吸込口体６の外縁の内側にある。
【００６０】
本実施の形態の吸込具２は、吸引パイプ８の長手軸８２が吸込口体６の長手方向に対して実質的に平行な状態になりうる。例えば、図１１において、第二回転軸Ｙの傾斜角度が４５°であると仮定し、第一角度αが４５°になるように第一回転部７１を第二回転部７２に対して第一回転軸Ｘを中心に回転させた後、第二回転部７２を第二回転軸Ｙを中心に左右のいずれかに９０°回転させることで、吸引パイプ８の長手軸８２が吸込口体６の長手方向に対して実質的に平行な状態になる。
【００６１】
なお、本明細書において、「実質的に平行」とは、完全に平行な状態に対して±１０°の範囲を含むものとする。
【００６２】
以下の説明では、例えば家具の間などに形成される幅の狭い隙間を「狭隘部」と称する。本実施の形態であれば、以下の効果が得られる。吸引パイプ８の長手軸８２が吸込口体６の長手方向に対して実質的に平行な状態になることで、奥行があり、かつ高さの低い狭隘部の奥まで、吸込口体６を挿入できる。このため、奥行があり、かつ高さの低い狭隘部を容易に清掃できる。
【００６３】
図１１に示すように、本実施の形態の吸込具２は、吸引パイプ８の長手軸８２が吸込口体６の短手方向に対して実質的に平行な状態になりうる。この状態にすることで、奥行があり、幅が広く、かつ高さの低い低所を、効率良く清掃できる。
【００６４】
本実施の形態では、上面視にて、連結部７が吸込口体６の外縁の内側に配置され、第一角度αが０°〜９０°、第二角度βが０°〜１８０°の範囲で回転可能である。換言すると、吸込口体６の短手方向の長さＷの内側に吸引パイプ８の幅が収まる。このような構成によれば、吸引パイプ８の長手軸８２が吸込口体６の長手方向に対して実質的に平行な状態にしたときに、吸込口体６の短手方向の長さＷの範囲に各部が収まるため、狭隘部をさらに容易に清掃できる。また、低所を清掃する際に、吸込口体６と連結部７とを合わせた分の高さで収まる。このため、清掃性に優れ、短時間で効率的な清掃が可能となる。
【００６５】
図１３は、実施の形態１の吸込具２の使用形態を示す上面図である。図１４は、実施の形態１の吸込具２の他の使用形態を示す上面図である。図１３は、吸込口体６を短手方向に沿って動かす使用形態を示す。図１４は、吸込口体６を長手方向に沿って動かす使用形態を示す。以下、図１３に示す使用形態を「幅広形態」とも呼び、図１４に示す使用形態を「幅狭形態」とも呼ぶ。
【００６６】
使用者は、電気掃除機１を用いて掃除をする際に、ハンドル９を持った手で、吸込具２の吸込口体６の向きを操作できる。例えば、図１に示すひねり方向Ａにハンドル９が回転されることにより、連結部７が回転し、吸込口体６の向きが変化する。使用者は、ハンドル９を操作することで、自分から見て前後に動かす際の吸込口体６の向きを変化させることができる。この場合、吸込口体６の向きは、例えば、幅広形態と幅狭形態との間で、変化可能である。吸込口体６の向きを幅広形態にすることで、広いところを容易に掃除できる。吸込口体６の向きを幅狭形態にすることで、狭隘部等の狭いところを容易に掃除できる。
【００６７】
本実施の形態であれば、以下の効果が得られる。状況に応じて、吸込具２の使用形態を幅広形態と幅狭形態との間で変化させることが可能である。例えば、部屋の中央等の広いところを清掃する場合には、吸込具２を幅広形態で使用することで、清掃範囲を広くできる。例えば、家具の隙間等の狭隘部を清掃する場合は、吸込具２を幅狭形態で使用することで、狭隘部の奥に吸込口体６を挿入できる。吸込口体６の向きを変えるだけで、広いところ及び狭いところを含む多様なシーンの掃除に対応できる。清掃する場所に応じたアタッチメントの取り外し及び付け替えの必要性を低減でき、使用者の負担を軽減できる。また、吸込口体６の長手方向の長さＬの具体的な寸法は、特に限定されない。上述した実施の形態であれば、幅広形態において、被清掃面と吸込口体６の左端１０３側との間の摩擦力と、被清掃面と吸込口体６の右端１０４側の摩擦力との差が生じても、図１３中の第二角度βが変動することを確実に抑制でき、効率良く清掃可能である。
【００６８】
図１０及び図１１に示すように、吸込具２は、アジテーター３５及びモーター３７を備える。アジテーター３５は、吸込口体６に対して回転可能に取り付けられる。アジテーター３５の回転軸Ｒ１は、吸込口体６の長手方向に対して平行である。アジテーター３５が回転することで、被清掃面が攪拌され、被清掃面から塵埃が掻き上げられる。吸込口体６が上ケース３１及び下ケース３２を含む場合には、アジテーター３５は下ケース３２に取り付けられてもよい。アジテーター３５の一端側には、被駆動輪３６が連結されている。被駆動輪３６は、アジテーター３５と一体になって回転する。アジテーター３５の他端側は、シャフト４８を介して、吸込口体６に対して回転可能に支持されている。
【００６９】
モーター３７は、アジテーター３５を回転させる。本実施の形態におけるモーター３７は、電動機である。本発明では、アジテーター３５を回転させるモーター３７は、電動機に限定されるものではなく、例えば、空気流によって回転するタービンでもよい。モーター３７は、駆動シャフト３８を備える。モーター３７の駆動シャフト３８の回転軸Ｒ２は、アジテーター３５の回転軸Ｒ１に対して平行である。駆動シャフト３８は、駆動ベルト４０を介して、被駆動輪３６に接続されている。モーター３７の駆動力が駆動シャフト３８、駆動ベルト４０、及び被駆動輪３６を介してアジテーター３５に伝達することで、アジテーター３５が回転する。また、図示の構成に代えて、例えばギヤトレーンなどの他の伝達手段によってモーター３７の駆動力をアジテーター３５へ伝達してもよい。
【００７０】
吸込口体６は、吸引開口６３及びアジテーターチャンバ５０を備える。アジテーターチャンバ５０は、吸込口体６の内部に形成されている。吸引開口６３は、吸込口体６の底面６４に形成された開口である。アジテーターチャンバ５０は、アジテーター３５を収容する。アジテーターチャンバ５０の下面の少なくとも一部が開口することで吸引開口６３が形成される。電動送風機２４が作動すると、吸引開口６３から汚れ空気が吸引される。吸込口体６は、吸込口体６の底面６４以外の面（例えば側面）に形成された吸引開口をさらに備えてもよい。その場合、吸込口体６の底面６４以外の面に形成された吸引開口の総開口面積は、吸込口体６の底面６４に形成された吸引開口６３の総開口面積より小さいことが望ましい。そのように構成することで、以下の効果が得られる。主として、吸込口体６の底面６４に形成された吸引開口６３から塵埃を吸引することができるので、吸引性能のばらつきを軽減できる。
【００７１】
本実施の形態であれば、モーター３７の回転軸Ｒ２を、アジテーター３５の回転軸Ｒ１に対して平行にしたことで、以下の効果が得られる。モーター３７を省スペースで配置できる。吸引開口６３の面積を大きくできる。吸込具２を軽量化できる。図１０に示すように、本実施の形態では、モーター３７から駆動シャフト３８が突出する方向は、アジテーター３５から被駆動輪３６が突出する方向に対して、同じ方向である。
【００７２】
図１１に示すように、アジテーター３５は、筒状基体４３及び突出部材４４を備える。突出部材４４は、筒状基体４３の外周面から突出する。突出部材４４は、筒状基体４３に備えられた保持部（図示省略）により保持される。突出部材４４としては、例えば、繊維質のブラシ毛を用いてもよいし、軟質材のブレード状のものを用いてもよいし、それらの組み合わせを用いてもよい。突出部材４４は、筒状基体４３の外周に、回転軸Ｒ１を中心とするつるまき線に沿ってに配列されてもよい。その場合、突出部材４４を少なくとも２列以上（例えば、４列）に配列し、列間に、上記つるまき線に沿う谷部を形成してもよい。または、突出部材４４は、筒状基体４３の外周に、回転軸Ｒ１に平行に配列されてもよい。本実施の形態では、モーター３７は、吸込口体６の左端１０３に近い位置に配置されている。モーター３７は、吸込口体６の右端に近い位置に配置されてもよい。
【００７３】
図１１において、吸込具２の風路について説明する。吸引開口６３から吸引された含塵空気は、アジテーターチャンバ５０から上方に進行し、入口部６７から風路６６へ流入し、屈折または湾曲した所で、第二回転軸Ｙの位置に到達する。その後、第一回転軸Ｘの位置を経て、吸引パイプ８側へと進行する。つまり、吸込具２の風路では、第二回転軸Ｙの位置の下流側に、第一回転軸Ｘの位置がある。
【００７４】
仮に、アジテーターチャンバ５０内から連結部７の内部につながる風路の入口となる入口部が、アジテーターチャンバ５０の後方において開口していると、吸込口体６を短手方向の後方へ移動させた際に、入口部に対する気流の相対速度が低下し、アジテーターチャンバ５０内から入口部へ塵埃が入りにくくなり、清掃性が低下する可能性がある。また、吸込口体６を短手方向に前進させたときと後退させたときとで吸引性能に差が生まれる可能性がある。これに対し、本実施の形態であれば、アジテーターチャンバ５０内から連結部７の内部につながる風路６６の入口となる入口部６７が、アジテーターチャンバ５０の上方において開口することで、以下の効果が得られる。本実施の形態であれば、吸込口体６の移動方向にかかわらず、吸引性能に差が生じにくく、清掃ムラを低減できる。
【００７５】
本実施の形態であれば、連結部７が吸込口体６の上面側にあることで、以下の効果が得られる。吸込口体６の全体に下向きの力がかかり、吸込口体６が浮きにくく、特に絨毯などで吸込口体６が沈み込みやすいため、高い吸引性能が得られる。
【００７６】
実施の形態２．
次に、図１５から図１７を参照して、実施の形態２について説明するが、上述した実施の形態１との相違点を中心に説明し、同一部分または相当部分については説明を簡略化または省略する。
【００７７】
図１５は、実施の形態２の吸込具２の模式的な斜視図である。図１６は、実施の形態２の吸込具２の背面図である。図１７は、図１６中のＪ−Ｊ線での模式的な断面図である。図１７では、図面を簡略化するため、各部の壁が持つ厚みを無視し、壁の断面を線で表す。
【００７８】
図１７に示すように、本実施の形態２では、吸込口体６の前方に向かって第二回転軸Ｙが斜め下を向くように第二回転軸Ｙが傾斜する。図１７の実線で示す吸引パイプ８の位置は、第一角度αが０°の状態を表す。図１７の破線で示す吸引パイプ８の位置は、第一角度αが１３５°の状態を表す。連結部７が第一回転軸Ｘを中心として回転可能な角度範囲は、例えば、図１７が示すように、第二角度βが９０°のときに第一角度αが０°から１３５°まで変わりうる範囲でもよい。
【００７９】
本実施の形態２の吸込具２は、吸引パイプ８の長手軸８２が吸込口体６の長手方向に対して実質的に平行な状態になりうる。例えば、図１７において、第二回転軸Ｙの傾斜角度が４５°であると仮定し、第一角度αが１３５°になるように第一回転部７１を第二回転部７２に対して第一回転軸Ｘを中心に回転させた後、第二回転部７２を第二回転軸Ｙを中心に左右のいずれかに９０°回転させることで、吸引パイプ８の長手軸８２が吸込口体６の長手方向に対して実質的に平行な状態になる。
【００８０】
本実施の形態２によれば、前述した実施の形態１に類似した効果が得られる。
【００８１】
実施の形態３．
次に、図１８から図２０を参照して、実施の形態３について説明するが、上述した実施の形態との相違点を中心に説明し、同一部分または相当部分については説明を簡略化または省略する。
【００８２】
図１８は、実施の形態３の吸込具２の背面図である。図１９は、実施の形態３の吸込具２が備える吸込口体６の模式的な斜視図である。図２０は、図１８中のＫ−Ｋ線の位置での模式的な断面図である。ただし、図２０は、第二角度βが９０°のときの状態を示す。図２０では、図面を簡略化するため、各部の壁が持つ厚みを無視し、壁の断面を線で表す。
【００８３】
図１９に示すように、本実施の形態３の吸込具２が備える吸込口体６は、第一上面６８及び第二上面６９を備える。第二上面６９は、第一上面６８より低い位置にある。吸込口体６の後ろ側の部分においては、連結部７を境に、左側に第一上面６８があり、右側に第二上面６９がある。吸込口体６の前側の部分においては、吸込口体６の長手方向の全長に渡り、第一上面６８がある。吸込口体６は、連結部７を支持する支持部６１０を備える。支持部６１０については後述する。図１９では、支持部６１０の図示を簡略化する。
【００８４】
本実施の形態２では、吸込口体６の右側に第二上面６９を形成した例について説明するが、吸込口体６の左側に第二上面６９を形成してもよい。
【００８５】
図１８に示すように、吸引パイプ８の長手軸８２が吸込口体６の長手方向に対して実質的に平行な状態のときに、連結部７及び吸引パイプ８は、少なくとも部分的に、第一上面６８と第二上面６９との間の高さに位置する。吸引パイプ８の長手軸が吸込口体６の長手方向に対して実質的に平行な状態のときに、第二上面６９は、少なくとも部分的に、吸引パイプ８の長手方向に沿って延びる。
【００８６】
本実施の形態３によれば、前述した実施の形態１に類似した効果に加えて、以下の効果が得られる。吸引パイプ８の長手軸８２が吸込口体６の長手方向に対して実質的に平行な状態のときの吸引パイプ８の位置がより低くなるので、高さの低い低所を、効率良く清掃できる。
【００８７】
吸込口体６の長手方向に垂直な平面で第二上面６９を切断した断面形状は、第二上面６９の少なくとも一部において、吸込口体６の長手方向に沿って一定である。吸引パイプ８の長手軸８２が吸込口体６の長手方向に対して実質的に平行な状態、すなわち図１８の状態のときに、以下のようになってもよい。第二上面６９と吸引パイプ８との距離が、吸込口体６の長手方向に沿って一定になるように、第二上面６９を形成してもよい。例えば、吸引パイプ８が円筒形状の場合、第二上面６９は、その少なくとも一部が、凹んだ形状をしていてもよい。吸引パイプ８が、第一上面６８と同等の高さ以下の高さの範囲に収まってもよい。
【００８８】
図１８に示すように、本実施の形態３の吸込具２は、モーター３７を備える。モーター３７は、アジテーター３５を駆動する駆動手段の例である。第二上面６９は、連結部７の位置から吸込口体６の長手方向の一端すなわち右端１０４まで延びている。吸込口体６の長手方向についてのモーター３７の位置は、連結部７に対して吸込口体６の長手方向の他端側すなわち左端１０３側にある。これにより、以下の効果が得られる。モーター３７は、アジテーター３５を高速回転させるために、ある程度の大きさを必要とする。仮に、モーター３７を、連結部７に対して、第二上面６９と同じ側に配置すると、吸込口体６が大型化してしまう。これに対し、本実施の形態であれば、モーター３７を、連結部７に対して、第二上面６９と反対側に配置することで、吸込口体６を小型にできる。
【００８９】
図２０に示すように、吸込口体６の短手方向の位置に関して、第二上面６９の位置は、アジテーターチャンバ５０の位置より後ろ側である。アジテーターチャンバ５０の上端は、第二上面６９より上にある。連結部７を支持する支持部６１０の内部には、アジテーターチャンバ５０内に連通する風路６１１が形成されている。第二回転部７２は、支持部６１０に対して、第二回転軸Ｙを中心に回転可能に連結されている。第二回転部７２の内部には、風路が形成されている。支持部６１０は、第二回転軸Ｙを中心とする円形開口を有する。第二回転部７２は、第二回転軸Ｙを中心とする円形開口を有する。支持部６１０と第二回転部７２との間の接合部７３にて、支持部６１０の円形開口と、第二回転部７２の円形開口とが相対的に回転可能に接続される。
【００９０】
支持部６１０の内部の風路６１１は、連結部７の第二回転部７２の内部の風路に連通する。入口部６１２は、アジテーターチャンバ５０内から風路６１１への入口となる。入口部６１２は、アジテーターチャンバ５０の上方において開口する。
【００９１】
本実施の形態３では、吸込口体６の前方に向かって第二回転軸Ｙが斜め上を向くように第二回転軸Ｙが傾斜する。図２０の実線で示す吸引パイプ８の位置は、第一角度αが０°の状態を表す。図２０の破線で示す吸引パイプ８の位置は、第一角度αが９０°の状態を表す。連結部７が第一回転軸Ｘを中心として回転可能な角度範囲は、例えば、図２０が示すように、第二角度βが９０°のときに第一角度αが０°から９０°まで変わりうる範囲でもよい。
【００９２】
本実施の形態３の吸込具２は、吸引パイプ８の長手軸８２が吸込口体６の長手方向に対して実質的に平行な状態になりうる。例えば、図２０において、第二回転軸Ｙの傾斜角度が４５°であると仮定し、第一角度αが４５°になるように第一回転部７１を第二回転部７２に対して第一回転軸Ｘを中心に回転させた後、第二回転部７２を第二回転軸Ｙを中心に右に９０°回転させることで、吸引パイプ８の長手軸８２が吸込口体６の長手方向に対して実質的に平行な状態になる。
【００９３】
連結部７が第一上面６８より低い位置に配置されることで、連結部７の回転角度は制限される場合がある。第二角度βは、０°〜１８０°で回転可能でもよい。第二角度βが０°〜９０°のとき、第一角度αは、０°〜９０°で回転可能でもよい。第二角度βが９０°より大きい場合は、第一角度αの回転範囲は狭くなる。
【００９４】
本実施の形態３であれば、以下の効果が得られる。連結部７の設置位置を低くすることで、吸込具２の高さを抑えることができる。このため、例えばソファ下等の、低所の掃除のときの操作性に優れるため、清掃性が向上する。また、連結部７の位置が低いことで、吸込口体６下部前端を支点に吸込具２が浮き、つんのめることを抑えられるため、操作性が向上する。吸込口体６の右端１０４側を左端１０３側より低くすることで、ハンドル９及び吸引パイプ８を時計回りにひねることで、幅広形態から幅狭形態への吸込口体６の回転が可能である。右利きの人は、時計回りの方向の回転の方が、力を入れやすい。幅広形態から幅狭形態へ変化させるときの方が、戻すときよりも大きい力が必要になる。幅狭形態から幅広形態に戻す際は、復元性により、幅広形態から幅狭形態にするより、軽微な力で済むため、負荷は少ない。
【００９５】
本実施の形態では、吸引パイプ８の断面は、円形である。第二上面６９の少なくとも一部は、吸引パイプ８の外周面に沿った、円弧のような断面形状を有する。
【００９６】
本実施の形態であれば、幅狭形態としたときの幅が吸込口体６の幅のみであるため、狭い所の清掃性に優れる。また、高さが低い所を清掃する際に、吸込口体６の高さ分のみの高さになる。このため、幅狭形態で清掃する際に連結部７及び吸引パイプ８が清掃箇所付近に干渉せずに清掃することが可能となるため、低い所の清掃性に優れる。
【００９７】
実施の形態４．
次に、図２１及び図２２を参照して、実施の形態４について説明するが、上述した実施の形態との相違点を中心に説明し、同一部分または相当部分については説明を簡略化または省略する。
【００９８】
図２１は、実施の形態４の吸込具２を幅広形態で使用するときの状態にした上面図である。図２２は、実施の形態４の吸込具２を幅狭形態で使用するときの状態にした上面図である。
【００９９】
前述した実施の形態１から３では、吸込口体６の長手方向についての連結部７の位置は、吸込口体６の長手方向の中心にある。このような構成に限らず、吸込口体６の長手方向についての連結部７の位置は、吸込口体６の長手方向の中心に対して、左端１０３側または右端１０４側へ偏っていてもよい。
【０１００】
図２１及び図２２に示すように、本実施の形態４では、吸込口体６の長手方向についての連結部７の位置が、吸込口体６の長手方向の中心に対して、右端１０４側へ偏っている場合を例に説明する。この例に限定されるものではなく、吸込口体６の長手方向についての連結部７の位置は、吸込口体６の長手方向の中心に対して、左端１０３側へ偏っていてもよい。
【０１０１】
本実施の形態４であれば、前述した実施の形態に類似した効果に加えて、以下の効果が得られる。上面視において連結部７を中心として吸込口体６を回転させる際の回転半径を大きくできるため、より効率的な清掃が可能となる。吸込口体６の高さより高く、連結部７より低い高さの低所を清掃する際に、図２２の幅狭形態にすることで、吸込口体６の全長に近い長さまで、当該低所に吸込口体６を挿入できる。幅広形態で吸込口体６が移動するとき、連結部７の位置が吸込口体６の長手方向の中心になくても、第二回転軸Ｙが鉛直線に対して斜めになっていることで、吸込口体６が第二回転軸Ｙを中心に回転することを確実に抑制でき、効率良く清掃可能である。
【０１０２】
本発明の電気掃除機は、キャニスタータイプに限らず、コードレスタイプの充電式電気掃除機等でもよい。このような場合にも同様の効果を発揮する。
【０１０３】
実施の形態１から４では、電気掃除機用の吸込具２を例に本発明を説明した。本発明の掃除具は、電気掃除機用の吸込具２に限定されない。本発明の掃除具は、例えば、床用モップにも適用できる。床用モップに適用する場合には、掃除具のボディーは、掃除用の繊維品あるいはスポンジなどを保持することができる。電気掃除機用の吸込具２以外に本発明の掃除具を適用する場合には、ボディーは吸引開口を備えなくてよく、ワンドは棒状の部材でもよく、連結部は風路を備えなくてよい。
【符号の説明】
【０１０４】
１  電気掃除機、  ２  吸込具、  ３  接続パイプ、  ４  吸引ホース、  ５  掃除機本体、  ６  吸込口体、  ７  連結部、  ８  吸引パイプ、  ９  ハンドル、  １０  操作スイッチ、  １１  ホース接続口、  １２  電源コード、  １３  車輪、  １４  収容ユニット、  １５  集塵ユニット、  １６，１７  収容体、  １８  第１接続口、  １９  第２接続口、  ２０  吸気風路形成部、  ２１  吸気風路、  ２２  排気風路形成部、  ２３  排気風路、  ２４  電動送風機、  ３１  上ケース、  ３２  下ケース、  ３５  アジテーター、  ３６  被駆動輪、  ３７  モーター、  ３８  駆動シャフト、  ４０  駆動ベルト、  ４３  筒状基体、  ４４  突出部材、  ４７  ホイール、  ４８  シャフト、  ５０  アジテーターチャンバ、  ６３  吸引開口、  ６４  底面、  ６５  突出部、  ６６  風路、  ６７  入口部、  ６８  第一上面、  ６９  第二上面、  ７１  第一回転部、  ７１ａ  第一シャッター、  ７１ｂ  第二シャッター、  ７１ｃ  第一リブ、  ７１ｄ  第二リブ、  ７２  第二回転部、  ７２ａ  第三シャッター、  ７２ｂ  第四シャッター、  ７２ｃ  第三リブ、  ７２ｄ  第四リブ、  ７３  接合部、  ８１  風路、  ８２  長手軸、  １０１  前端、  １０２  後端、  １０３  左端、  １０４  右端、  ６１０  支持部、  ６１１  風路、  ６１２  入口部
【図１】
0006288149.tif 000002
【図２】
0006288149.tif 000003
【図３】
0006288149.tif 000004
【図４】
0006288149.tif 000005
【図５】
0006288149.tif 000006
【図６】
0006288149.tif 000007
【図７】
0006288149.tif 000008
【図８】
0006288149.tif 000009
【図９】
0006288149.tif 000010
【図１０】
0006288149.tif 000011
【図１１】
0006288149.tif 000012
【図１２】
0006288149.tif 000013
【図１３】
0006288149.tif 000014
【図１４】
0006288149.tif 000015
【図１５】
0006288149.tif 000016
【図１６】
0006288149.tif 000017
【図１７】
0006288149.tif 000018
【図１８】
0006288149.tif 000019
【図１９】
0006288149.tif 000020
【図２０】
0006288149.tif 000021
【図２１】
0006288149.tif 000022
【図２２】
0006288149.tif 000023